(57)【要約】【課題】バッテリーの省電力化を図った携帯端末装置及び制御方法を提供する。【解決手段】暗い場所に携帯端末装置が在る場合、バックライトの消灯と表示部の表示消灯のタイミングを一致させることにより、使用者が装置表示部を見ていないときに液晶表示がされる消費電力を無くすことが可能となる。従って、バッテリーの省電力化を図った携帯端末装置の提供を実現することができる。【選択図】図１
2008147952.tif 000002
【特許請求の範囲】
【請求項１】
表示手段と、
該表示手段を筐体内から該筐体外に向かって照明する照明手段と、
前記筐体の周囲の光量を測定する受光手段と、
前記筐体の周囲が明から暗に変化したと判断するための第１の閾値及び前記第１の閾値より高く前記筐体の周囲が暗から明に変化したと判断するための第２の閾値を格納する記憶手段と、
前記第１の閾値及び前記第２の閾値に基づいて前記表示手段の表示及び前記照明手段の点灯を制御する制御手段とを備えたことを特徴とする携帯端末装置。
【請求項２】
前記制御手段は、
前記筐体の周囲が明から暗に変化した後で電源／終了ボタンが押された場合、前記表示手段及び前記照明手段を同時に消灯させ、
前記電源／終了ボタンが押されてから所定の時間差Δｔ以内に前記筐体の周囲が明から暗に変化する場合、前記電源／終了ボタンが押されると前記照明手段を消灯させると共に、前記表示手段を前記筐体の周囲が明から暗に変化した時に消灯させ、
前記電源／終了ボタンが押されてから前記筐体の周囲が明から暗に変化するまでの時間が少なくとも所定の時間差Δｔである場合、前記電源／終了ボタンが押された時に前記照明手段を消灯させると共に、所定の時間差Δｔ経過時に前記表示手段を消灯させることを特徴とする請求項１記載の携帯端末装置。
【請求項３】
前記制御手段は、
前記電源／終了ボタンが押されてから所定の時間差Δｔ以内に前記筐体の周囲が暗から明に変化する場合、前記電源／終了ボタンが押されると前記照明手段及び前記表示手段を同時に消灯させると共に、前記筐体の周囲が暗から明に変化した時に前記表示手段を表示させ前記照明手段を消灯させてから所定の時間差Δｔ経過時に前記表示手段を消灯させ、
前記電源／終了ボタンが押されてから前記筐体の周囲が暗から明に変化するまでの時間が少なくとも所定の時間差Δｔである場合、前記電源／終了ボタンが押された時に前記照明手段を消灯させると共に、所定の時間差Δｔ経過時に前記表示手段を消灯させ、
前記筐体の周囲が暗から明に変化した後で前記電源／終了ボタンが押された場合、前記表示手段を消灯させると共に、所定の時間差Δｔ経過時に前記照明手段を消灯させることを特徴とする請求項１または２記載の携帯端末装置。
【請求項４】
表示手段と、
該表示手段を筐体内から該筐体外に向かって照明する照明手段と、
筐体の周囲の光量を測定する受光手段と、
前記筐体の周囲が明もしくは暗かを判断するための第３の閾値を格納する記憶手段と、
一定時間内に前記光量を一定回数サンプリングしたときの前記第３の閾値との大小関係に基づいて前記表示手段の表示及び前記照明手段の点灯を制御する制御手段とを備えたことを特徴とする携帯端末装置。
【請求項５】
前記制御手段は、
前記筐体の周囲が明から暗に変化した後で前記電源／終了ボタンが押された場合、前記照明手段を通常より低い輝度で点灯させてから所定の時間差Δｔ経過時に消灯させると共に、前記表示手段を前記電源／終了ボタンが押されてから所定の時間差Δｔ経過時に消灯させ、
前記電源／終了ボタンが押されてから所定の時間差Δｔ以内に前記筐体の周囲が明から暗に変化する場合、前記電源／終了ボタンが押されると前記照明手段を消灯させた後、前記筐体の周囲が明から暗に変化した時に前記照明手段を通常より低い輝度で点灯させて前記電源／終了ボタンが押されてから所定の時間差Δt経過時に前記照明手段及び前記表示手段を同時に消灯させ、
前記電源／終了ボタンが押されてから前記筐体の周囲が明から暗に変化するまでの時間が少なくとも所定の時間差Δｔである場合、前記電源／終了ボタンが押された時に前記照明手段を消灯させると共に、所定の時間差Δｔ経過時に前記表示手段を消灯させることを特徴とする請求項１記載の携帯端末装置。
【請求項６】
前記制御手段は、
前記電源／終了ボタンが押されてから所定の時間差Δｔ以内に前記筐体の周囲が暗から明に変化する場合、前記電源／終了ボタンが押されると前記照明手段を通常より低い輝度で点灯させた後、前記筐体の周囲が暗から明に変化した時に前記照明手段を消灯させると共に、前記電源／終了ボタンが押されてから所定の時間差Δt経過時に前記表示手段を消灯させ、
前記電源／終了ボタンが押されてから前記筐体の周囲が暗から明に変化するまでの時間が少なくとも所定の時間差Δｔである場合、前記電源／終了ボタンが押された時に前記照明手段を通常より低い輝度で点灯させた後、前記筐体の周囲が暗から明に変化した時に前記照明手段を消灯させると共に、前記電源／終了ボタンが押されてから所定の時間差Δt経過時に前記表示手段を消灯させ、
前記筐体の周囲が暗から明に変化した後で前記電源／終了ボタンが押された場合、前記照明手段を消灯させた後、所定の時間差Δｔ経過時に前記表示手段を消灯させることを特徴とする請求項１または２記載の携帯端末装置。
【請求項７】
フォトダイオードをカメラ機能と受光センサに併用可能としたことを特徴とする請求項１から６のいずれか１項記載の携帯端末装置。
【請求項８】
装置変形時においても常に前記受光手段が前記表示手段と同面に搭載されている構造を持つことを特徴とする請求項１から７のいずれか１項記載の携帯端末装置。
【請求項９】
筐体の周囲が明から暗に変化したと判断するための第１の閾値及び前記第１の閾値より高く前記筐体の周囲が暗から明に変化したと判断するための第２の閾値に基づいて表示手段の表示及び前記表示手段を前記筐体内から前記筐体外に向かって照明する照明手段の点灯を制御することを特徴とする携帯端末装置の制御方法。
【請求項１０】
一定時間内に前記光量を一定回数サンプリングし、筐体の周囲が明もしくは暗かを判断するための第３の閾値との大小関係に基づいて表示手段の表示及び前記表示手段を筐体内から照明する照明手段の点灯を制御することを特徴とする携帯端末装置の制御方法。
【請求項１１】
筐体の周囲が明から暗に変化したと判断するための第１の閾値及び前記第１の閾値より高く前記筐体の周囲が暗から明に変化したと判断するため第２の閾値に基づいて表示手段の表示、前記表示手段を前記筐体内から前記筐体外に向かって照明する照明手段の通常の輝度での点灯、及び前記照明手段の通常より低輝度での点灯を制御することを特徴とする携帯端末装置の制御方法。
【発明の詳細な説明】
【技術分野】
【０００１】
本発明は、携帯端末装置及びその制御方法に関する。
【背景技術】
【０００２】
携帯端末装置の高機能化に伴い、消費電力の増加によるバッテリー消費の加速化が課題となっている。この課題に対し、使用者が装置を使用していないときに消費している電力量を低減することが解決手段のひとつとなる。
【０００３】
このため、光センサが外光を検知し、その検知信号に基づいて表示部への電力供給を停止するもの（例えば、特許文献１参照。）や、周囲の暗さが一定期間継続すると、バックライトを消灯するもの（例えば、特許文献２、３参照。）が提案されている。
【特許文献１】特開２００３−０３２３５７号公報
【特許文献２】特開平０９−０２７８４４号公報
【特許文献３】特開平０９−２３３５４４号公報
【発明の開示】
【発明が解決しようとする課題】
【０００４】
しかしながら、上述した従来技術ではバッテリーの省電力化が十分ではなかった。
そこで、本発明は、バッテリーの省電力化を図った携帯端末装置及び制御方法を提供することにある。
【課題を解決するための手段】
【０００５】
上記課題を解決するために、本発明の請求項１記載の発明は、表示手段と、該表示手段を筐体内から照明する照明手段と、前記筐体の周囲の光量を測定する受光手段と、前記筐体の周囲が明から暗に変化したと判断するための第１の閾値及び前記第１の閾値より高く前記筐体の周囲が暗から明に変化したと判断するための第２の閾値を格納する記憶手段と、前記第１の閾値及び前記第２の閾値に基づいて前記表示手段の表示及び前記照明手段の点灯を制御する制御手段とを備えたことを特徴とする。
【０００６】
請求項１記載の発明によれば、第１の閾値と第２の閾値とを有するため明と暗との閾値近傍の際の照明手段による点灯及び消灯のバタツキが生じることなく無駄なく省電力を行うことができる。従って、バッテリーの省電力化を図った携帯端末装置の提供を実現することができる。また、表示手段は特性にばらつきがあり、携帯端末装置の機種ごとに閾値を記憶手段に格納させることにより、特性のばらつきに対応することができる。但し、本制御は表示中に微灯機能を持たず、照明手段の使用と液晶表示で機能する携帯端末装置に有効である。
【０００７】
請求項２記載の発明は、請求項１記載の発明において、前記制御手段は、前記筐体の周囲が明から暗に変化した後で電源／終了ボタンが押された場合、前記表示手段及び前記照明手段を同時に消灯させ、前記電源／終了ボタンが押されてから所定の時間差Δｔ以内に前記筐体の周囲が明から暗に変化する場合、前記電源／終了ボタンが押されると前記照明手段を消灯させると共に、前記表示手段を前記筐体の周囲が明から暗に変化した時に消灯させ、前記電源／終了ボタンが押されてから前記筐体の周囲が明から暗に変化するまでの時間が少なくとも所定の時間差Δｔである場合、前記電源／終了ボタンが押された時に前記照明手段を消灯させると共に、所定の時間差Δｔ経過時に前記表示手段を消灯させることを特徴とする。
【０００８】
請求項２記載の発明によれば、筐体の周囲が明から暗に変化した後の場合、表示手段及び照明手段を同時に消灯させることにより、表示手段の消灯が所定の時間差Δｔ分だけ速まり、照明手段を消灯させてから所定の時間差Δｔ以内に筐体の周囲が明から暗に変化する場合、表示手段を所定の時間差Δｔ以前に消灯させ、照明手段を消灯させることにより、表示手段の消灯が所定の時間差Δｔよりさらに早まるので、それらの分だけ消費電力を低減することができる。
【０００９】
請求項３記載の発明は、請求項１または２記載の発明において、前記制御手段は、前記電源／終了ボタンが押されてから所定の時間差Δｔ以内に前記筐体の周囲が暗から明に変化する場合、前記電源／終了ボタンが押されると前記照明手段及び前記表示手段を同時に消灯させると共に、前記筐体の周囲が暗から明に変化した時に前記表示手段を表示させ前記照明手段を消灯させてから所定の時間差Δｔ経過時に前記表示手段を消灯させ、前記電源／終了ボタンが押されてから前記筐体の周囲が暗から明に変化するまでの時間が少なくとも所定の時間差Δｔである場合、前記電源／終了ボタンが押された時に前記照明手段を消灯させると共に、所定の時間差Δｔ経過時に前記表示手段を消灯させ、前記筐体の周囲が暗から明に変化した後で前記電源／終了ボタンが押された場合、前記表示手段を消灯させると共に、所定の時間差Δｔ経過時に前記照明手段を消灯させることを特徴とする。
【００１０】
請求項３記載の発明によれば、電源／終了ボタンが押されてから所定の時間差Δｔ以内に筐体の周囲が暗から明に変化する場合、電源／終了ボタンが押されると照明手段及び表示手段を同時に消灯させると共に、筐体の周囲が暗から明に変化した時に表示手段を表示させ照明手段を消灯させてから所定の時間差Δｔ経過時に表示手段を消灯させることにより、電源／終了ボタンが押されてから筐体の周囲が暗から明に変化するまでの間表示手段が消灯するので、その分だけ消費電力を低減することができる。
【００１１】
請求項４記載の発明は、表示手段と、該表示手段を筐体内から照明する照明手段と、筐体の周囲の光量を測定する受光手段と、前記筐体の周囲が明もしくは暗かを判断するための第３の閾値を格納する記憶手段と、一定時間内に前記光量を一定回数サンプリングしたときの前記第３の閾値との大小関係に基づいて前記表示手段の表示及び前記照明手段の点灯を制御する制御手段とを備えたことを特徴とする。
【００１２】
請求項４記載の発明によれば、一定時間内に光量を一定回数サンプリングしたときの第３の閾値との大小関係に基づいて表示手段の表示及び照明手段の点灯を制御することにより、精度良く明／暗の判断を行うことができるので、消費電力を低減することができる。
【００１３】
請求項５記載の発明は、請求項１記載の発明において、前記制御手段は、前記筐体の周囲が明から暗に変化した後で前記電源／終了ボタンが押された場合、前記照明手段を通常より低い輝度で点灯させてから所定の時間差Δｔ経過時に消灯させると共に、前記表示手段を前記電源／終了ボタンが押されてから所定の時間差Δｔ経過時に消灯させ、前記電源／終了ボタンが押されてから所定の時間差Δｔ以内に前記筐体の周囲が明から暗に変化する場合、前記電源／終了ボタンが押されると前記照明手段を消灯させた後、前記筐体の周囲が明から暗に変化した時に前記照明手段を通常より低い輝度で点灯させて前記電源／終了ボタンが押されてから所定の時間差Δt経過時に前記照明手段及び前記表示手段を同時に消灯させ、前記電源／終了ボタンが押されてから前記筐体の周囲が明から暗に変化するまでの時間が少なくとも所定の時間差Δｔである場合、前記電源／終了ボタンが押された時に前記照明手段を消灯させると共に、所定の時間差Δｔ経過時に前記表示手段を消灯させることを特徴とする。
【００１４】
請求項５記載の発明によれば、電源／終了ボタンが押されてから所定の時間差Δｔ以内に筐体の周囲が明から暗に変化する場合、電源／終了ボタンが押されると照明手段を消灯させた後、筐体の周囲が明から暗に変化した時に照明手段を通常より低い輝度で点灯させて電源／終了ボタンが押されてから所定の時間差Δt経過時に照明手段及び表示手段を同時に消灯させることにより、電源／終了ボタンが押されてから筐体の周囲が明から暗に変化するまでの間照明手段が消灯するので、その分だけ消費電力を低減することができる。
【００１５】
請求項６記載の発明は、請求項１または２記載の発明において、前記制御手段は、前記電源／終了ボタンが押されてから所定の時間差Δｔ以内に前記筐体の周囲が暗から明に変化する場合、前記電源／終了ボタンが押されると前記照明手段を通常より低い輝度で点灯させた後、前記筐体の周囲が暗から明に変化した時に前記照明手段を消灯させると共に、前記電源／終了ボタンが押されてから所定の時間差Δt経過時に前記表示手段を消灯させ、前記電源／終了ボタンが押されてから前記筐体の周囲が暗から明に変化するまでの時間が少なくとも所定の時間差Δｔである場合、前記電源／終了ボタンが押された時に前記照明手段を通常より低い輝度で点灯させた後、前記筐体の周囲が暗から明に変化した時に前記照明手段を消灯させると共に、前記電源／終了ボタンが押されてから所定の時間差Δt経過時に前記表示手段を消灯させ、前記筐体の周囲が暗から明に変化した後で前記電源／終了ボタンが押された場合、前記照明手段を消灯させた後、所定の時間差Δｔ経過時に前記表示手段を消灯させることを特徴とする。
【００１６】
請求項６記載の発明によれば、電源／終了ボタンが押されてから所定の時間差Δｔ以内に筐体の周囲が暗から明に変化する場合、電源／終了ボタンが押されると照明手段を通常より低い輝度で点灯させた後、筐体の周囲が暗から明に変化した時に照明手段を消灯させると共に、電源／終了ボタンが押されてから所定の時間差Δt経過時に表示手段を消灯させることにより、電源／終了ボタンが押されてから筐体の周囲が暗から明に変化するまでの間照明手段が消灯するので、その分だけ消費電力を低減することができる。
【００１７】
請求項７記載の発明は、請求項１から６のいずれか１項記載の発明において、フォトダイオードをカメラ機能と受光センサに併用可能としたことを特徴とする。
【００１８】
請求項８記載の発明は、請求項１から７のいずれか１項記載の発明において、装置変形時においても常に前記受光手段が前記表示手段と同面に搭載されている構造を持つことを特徴とする。
【００１９】
請求項９記載の発明は、筐体の周囲が明から暗に変化したと判断するための第１の閾値及び前記第１の閾値より高く前記筐体の周囲が暗から明に変化したと判断するための第２の閾値に基づいて表示手段の表示及び前記表示手段を前記筐体内から照明する照明手段の点灯を制御することを特徴とする。
【００２０】
請求項９記載の発明によれば、第１の閾値と第２の閾値とを有するため明と暗との閾値近傍の際の照明手段による点灯及び消灯のバタツキが生じることなく無駄なく省電力を行うことができる。従って、バッテリーの省電力化を図った携帯端末装置の提供を実現することができる。また、表示手段は特性にばらつきがあり、携帯端末装置の機種ごとに閾値を記憶手段に格納させることにより、特性のばらつきに対応することができる。
【００２１】
請求項１０記載の発明は、一定時間内に前記光量を一定回数サンプリングし、筐体の周囲が明もしくは暗かを判断するための第３の閾値との大小関係に基づいて表示手段の表示及び前記表示手段を筐体内から照明する照明手段の点灯を制御することを特徴とする。
【００２２】
請求項１０記載の発明によれば、一定時間内に光量を一定回数サンプリングしたときの第３の閾値との大小関係に基づいて表示手段の表示及び照明手段の点灯を制御することにより、精度良く明／暗の判断を行うことができるので、消費電力を低減することができる。
【００２３】
請求項１１記載の発明は、筐体の周囲が明から暗に変化したと判断するための第１の閾値及び前記第１の閾値より高く前記筐体の周囲が暗から明に変化したと判断するため第２の閾値に基づいて表示手段の表示、前記表示手段を前記筐体内から照明する照明手段の通常の輝度での点灯、及び前記照明手段の通常より低輝度での点灯を制御することを特徴とする。
【００２４】
請求項１１記載の発明によれば、第１及び第２の閾値に基づいて、表示手段の表示、照明手段の通常の輝度での点灯、及び照明手段の通常より低輝度での点灯を制御することにより、精度良く明／暗の判断を行うことができるので、消費電力を低減することができる。
【発明の効果】
【００２５】
本発明によれば、暗い場所に携帯端末装置が在る場合、照明手段の消灯と表示部の液晶表示消灯のタイミングを一致させることにより、使用者が装置表示部を見ていないときに液晶表示がされる消費電力を無くすことが可能となる。従って、バッテリーの省電力化を図った携帯端末装置の提供を実現することができる。
【発明を実施するための最良の形態】
【００２６】
本発明に係る携帯端末装置は、従来の携帯端末装置のユーザビリティを損なうことなく、装置の消費電力量低減を実現する特徴を有する。
【００２７】
図１は、本発明にかかる携帯端末装置の一実施の形態を示す構成図である。
図１に示す携帯端末装置１０は、筐体（例えば、プラスチック）１１に表示手段としての表示部（例えば、ＬＣＤ（Liquid  Crystal Device））１３−１と、表示部１３−１の裏面（筐体内）から筐体外に向かって表示部１３−１を照明する照明手段としてのバックライト（例えば、電圧駆動型ＥＬ（Electro Luminescence））１３−２と、表示部１３−１と同面に搭載された受光手段としての受光センサ１４とを備え、この受光センサ１４を明／の識別機能として利用する。受光センサ１４にはパッシブ系部品のフォトダイオードを用いるとデバイス駆動の電力消費量はなく、携帯端末装置１０の省電力化が可能である。
【００２８】
同図において、１２はレシーバー（受話器）、１５は通話を開始するための開始ボタン、１６は通話やメール等を終了させるか、電源を切るための電源／終了ボタン、１７はリダイヤル／クリアボタン、１８はダイアルボタン、１９は＊ボタン、２０は＃ボタン、２１はマイク（送話器）、２２は制御手段としてのＣＰＵ（Central Processing Unit）、２３は記憶手段としてのメモリをそれぞれ示す。尚、説明を簡単にするため、カメラ、アドレス帳等のボタンは省略されている。
【００２９】
また、従来の携帯端末装置にはカメラ機能を搭載したものが多く、この機能のＣＣＤカメライメージセンサ部でフォトダイオードを従来から使用している。そのため、カメラと同面に表示部を有する携帯端末装置の場合、このフォトダイオードをカメラ機能と併用することも可能である。
【００３０】
受光センサ１４で得た光量の情報は電気信号としてＣＰＵ（図１では便宜上筐体１１の外に描かれているが、実際は筐体１１に内蔵されている。）２２へ伝達される。ＣＰＵ２２では予め明／暗の識別に必要な閾値情報が格納されているメモリ（図１では便宜上筐体１１の外に描かれているが、実際は筐体１１に内蔵されている。）２３との光量比較を行う。
【００３１】
メモリ２３の閾値は、１つに定義すると明／暗の度合いが閾値近傍の際にばたついてユーザビリティを損なうため、明→暗、暗→明の２パターンについてヒステリシスを持つように各々閾値を設定する必要がある（明→暗の場合の第１の閾値情報としてのＡ値とし、暗→明の場合の第２の閾値情報としてのＢ値とする（Ａ値＜Ｂ値）。：図２参照）。
【００３２】
ここで、明→暗とは携帯端末装置が明るい場所から暗い場所に移動したり、室内で停止した状態において暗くなったりした場合（例えば、停電）を含み、暗→明とは携帯端末装置が暗い場所から明るい場所に移動したり、暗い室内で照明器具の電源を投入したりする場合を含む。
尚、図２は、図１に示した携帯端末装置のメモリ２３に格納される閾値の説明図である。
図２において、横軸は光量を示し、縦軸は判断を示す。
【００３３】
なお、上述した実施の形態は、本発明の好適な実施の形態の一例を示すものであり、本発明はそれに限定されることなく、その要旨を逸脱しない範囲内において、種々変形実施が可能である。例えば、上述の説明では、閾値が２つの場合で説明したが、本発明ではこれに限定されず、閾値を一つとする場合にも適用可能である。また、本携帯端末装置は筐体の主面に表示部と受光センサとが搭載された場合で説明しているが、本発明はこれに限定されず、常に受光センサと表示部とが同一面に搭載されていれば、装置が変形する場合、例えば、折りたたみ型、蓋部がスライドするスライド型、蓋部が回転する回転型であってもよい。
【実施例１】
【００３４】
携帯端末装置が待受け状態で使用者が装置表示部を見ていないときに於ける明るい場所から暗い場所への装置移動時の消費電力量低減の実施例を挙げる。
（実施例１の動作の説明）
明るい場所から暗い場所へ携帯端末装置が移動する場合、暗い場所で携帯端末装置は照明手段としてのバックライトの消灯と表示部の液晶表示消灯のタイミングとを一致させる動作をする。
【００３５】
すなわち、筐体の周囲が明から暗に変化したと判断するための第１の閾値及び前記第１の閾値より高く筐体の周囲が暗から明に変化したと判断するための第２の閾値に基づいて表示部の表示及び表示部を筐体内から筐体外に向かって照明するバックライトの点灯を制御するのである。
図３は、図１に示した携帯端末装置１０に用いられるＣＰＵ２２の明／暗の識別制御のフローチャートである。図４は、図１に示した携帯端末装置における液晶表示／消灯制御を示すフローチャートである。図３、４において、横軸は時間を示し、縦軸は電圧を示す。但し、ＥＬが電流駆動型の場合は電流を示す。図３、４に示すフローチャートは、消費電力量低減の動作を示すものである。
【００３６】
本制御の様子を中心に動作を説明する。
まず、明／暗の識別制御動作について説明する。
電源／終了ボタン１６（図１参照）が押されてから所定の時間差Δｔ以内に筐体１１の周囲が明から暗に変化する場合、電源／終了ボタン１６が押されるとバックライト１３−２（図１参照）を消灯させると共に、表示部１３−１（図１参照）を筐体１１の周囲が明から暗に変化した時に消灯させ、電源／終了ボタン１６が押されてから筐体１１の周囲が明から暗に変化するまでの時間が少なくとも所定の時間差Δｔである場合、電源／終了ボタン１６が押された時にバックライト１３−２を消灯させると共に、所定の時間差Δｔ経過時に表示部１３−１を消灯させるのである。
【００３７】
すなわち、図３において、時刻ｔのタイミングに受光センサ１４（図１参照）で得た光量の情報は電気信号としてＣＰＵ２２（図１参照）へ伝達される（ステップＳ１０）。
次に、明／暗の識別になるが本実施例において、携帯端末装置１０（図１参照）は、ｆ＝１（明るい）であるかｆ＝０（暗い）であるかの判断をする（ステップＳ１１）。
最初は携帯端末装置１０（図１参照）は明るい場所に在るため、ｆ＝１（明るい）の判断をする（ステップＳ１１／ｆ＝１）。
ＣＰＵ２２の得た光量Ｘ（ｔ）と、予めメモリ２３（図１参照）に格納されている明→暗の場合の閾値情報Ａ値とを比較してＸ（ｔ）がＡ値以下であるか否かを判断し（ステップＳ１２）、最新の携帯端末装置１０の存在場所を認識した後、この状態をfに返す。すなわち、Ｘ（ｔ）がＡより大きいと判断した場合（ステップＳ１２／Ｎ）、ｆ＝１として（ステップＳ１３）ステップＳ１０に進む。
【００３８】
一方の液晶表示／消灯制御（図４参照）はタイミングに分けて２事例を挙げる。
つまり、電源／終了ボタン１６が押されてから所定の時間差Δｔ以内に筐体１１の周囲が暗から明に変化する場合、電源／終了ボタン１６が押されるとバックライト１３−２及び表示部１３−１を同時に消灯させると共に、筐体１１の周囲が暗から明に変化した時に表示部１３−１を表示させバックライト１３−２を消灯させてから所定の時間差Δｔ経過時に表示部１３−１を消灯させ、電源／終了ボタン１６が押されてから筐体１１の周囲が暗から明に変化するまでの時間が少なくとも所定の時間差Δｔである場合、電源／終了ボタン１６が押された時にバックライトを消灯させると共に、所定の時間差Δｔ経過時に表示部段１３−２を消灯させ、筐体１１の周囲が暗から明に変化した後で電源／終了ボタン１６が押された場合、表示部１３−１を消灯させると共に、所定の時間差Δｔ経過時にバックライト１３−２を消灯させるものである。
【００３９】
図４は、図１に示した携帯端末装置における液晶表示／消灯制御を示すフローチャートである。図５（ａ）〜（ｃ）は、図１に示した携帯端末装置を明るい場所から暗い場所に移動させたときの動作を説明するためのタイミングチャートの一例である。図５（ａ）〜（ｃ）において、横軸は時間を示し、縦軸は電圧を示す。但し、ＥＬが電流駆動型の場合は電流を示す。
一事例目は、本携帯端末装置が暗い場所へ移動した後にバックライトの消灯が生じる場合について説明する（図５（ａ）参照）。この場合、明るい場所に携帯端末装置が在る間中はバックライト点灯状態が続くため（ステップＳ２０／Ｙ：図４）、液晶表示素子の表示／表示内容情報（バッテリー残量情報／時計や電波状況の更新情報）のアクセスを維持する（ステップＳ２１：図４）。
【００４０】
しかし、時刻ｔ０のタイミングでバックライトの消灯が生じると（ステップＳ２０／Ｎ：図４）、別に独立している明／暗の識別制御（図３）のｆ情報を取得する。本事例では既に携帯端末装置が暗い場所に在る判断がされているため（ステップＳ２２／Ｎ：図４）、液晶の消灯をする(ステップＳ２４：図４)。
【００４１】
二事例目は、携帯端末装置が暗い場所へ移動する前にバックライトの消灯が生じる場合について説明する（図５（ｂ）参照）。
この場合、従来の携帯端末装置に在るバックライトの消灯と表示部の液晶表示消灯との間の所定の時間差Δｔの間に明→暗となる条件（図５（ｂ））と、所定の時間差Δｔ経過後に明→暗となる条件（図５（ｃ））との２条件がある。
まず、前者（図５（ｂ））について説明する。
時刻ｔ０のタイミングでバックライトの消灯が生じると（ステップＳ２０／Ｎ：図４）、明／暗の識別制御（図３）のf情報の取得については携帯端末装置が明るい場所に在る判断がされているため（ステップＳ２２／Ｙ：図４）、従来どおりのバックライトの消灯と表示部の液晶表示消灯とに所定の時間差Δｔ（例えば、６秒）を生じる液晶の表示（通常表示）をする（ステップＳ２３）。
しかし、時刻ｔ１時に装置が暗い場所に移動すると明／暗の識別では携帯端末装置が暗い場所に在る判断がされているため（ステップＳ２２／Ｎ：図４）、液晶の消灯をする（ステップＳ２４：図４）。
【００４２】
次に、後者（図５（ｃ））について説明する。
この条件では時刻ｔ０のバックライトの消灯後も（ステップＳ２０／Ｎ：図４）も、明るい場所に装置が在る状態（ステップＳ２２／Ｙ：図４）を維持するので通常の動作（ステップＳ２３：図４）をする。
ここで、通常の動作とは、バックライトが消灯した時点より所定の時間差Δt経過後に表示部の表示／表示内容情報のアクセスを止める従来のバックライトの使用と液晶表示で機能する携帯端末装置の制御とを指す。
【実施例２】
【００４３】
携帯端末装置が待受け状態で使用者が表示部を見ていないときに於ける暗い場所から明るい場所への携帯端末装置の移動時の消費電力量低減の実施例を挙げる。
（実施例２の動作の説明）
図６（ａ）〜（ｃ）は、図１に示した携帯端末装置を暗い場所から明るい場所に移動させたときの動作を説明するためのタイミングチャートの一例である。図６（ａ）〜（ｃ）において、横軸は時間を示し、縦軸は電圧を示す。但し、ＥＬが電流駆動型の場合は電流を示す。
実施例１と同様、暗い場所で装置はバックライトの消灯と表示部の液晶表示消灯のタイミングを一致させる動作をする。
まず、明るい場所へ携帯端末装置が移動する前にバックライトの消灯が生じる場合について説明する。
この場合、従来の携帯端末装置に在るバックライトの消灯と表示部の液晶表示消灯との間の所定の時間差Δtの間に暗→明となる条件（図６（ａ））と所定の時間差Δt後に暗→明となる条件(図６（ｂ）)との２条件がある。
まず、前者（図６（ａ））について説明する。
時刻ｔ０のタイミングでバックライトの消灯が生じると（ステップＳ２０／Ｎ：図４）、明／暗の識別制御（図３）のｆ情報の取得においては携帯端末装置が暗い場所に在る判断がされているため（ステップＳ２２／Ｎ：図４）、液晶表示部の消灯をする（ステップ２４：図４）。
【００４４】
しかし、時刻ｔ１時に携帯端末装置が明るい場所に移動すると明／暗の識別では装置が明るい場所に在る判断がされているため（ステップＳ２２／Ｙ：図４）、通常の動作をする（ステップＳ２３：図４）。
【００４５】
次に、後者（図６（ｂ））について説明する。
この条件では時刻ｔ０のバックライトの消灯後も（ステップＳ２０／Ｎ：図２）、暗い場所に装置が在る状態（ステップＳ２２／Ｎ）を維持するので液晶の消灯をする（ステップＳ２４：図４）。
【００４６】
一方で、携帯端末装置が明るい場所へ移動した後にバックライトの消灯が生じる場合についても考えられ、この場合は通常の動作をする（図６（ｃ））。
【００４７】
（効果の説明）
従来の携帯端末装置／本発明による携帯端末装置、両装置の未使用時に於ける明るい場所から暗い場所への装置移動時の消費電力量の比較が図４（ａ）〜（ｃ）に示されている。
暗い場所での携帯端末装置のバックライトの消灯と表示部の液晶表示消灯とのタイミングを一致させる動作をすることにより、図５（ａ）の条件では所定の時間差Δｔ分、図５（ｂ）の条件ではΔｔ−（ｔ１−ｔ０）分の液晶表示消費電力を無くすことが可能となる。
【００４８】
また、図６（ａ）の条件ではｔ１−ｔ０分の液晶表示消費電力を無くすことが可能で、尚且つｔ１以降で液晶表示することにより、使用者からは従来の装置のごとくあたかも所定の時間差Δtの間中、液晶表示されているように感じる違和感のない制御を行うことが可能である。図６（ｂ）の条件では所定の時間差Δt分の液晶表示消費電力を無くすことが可能となる。
【実施例３】
【００４９】
本発明では明／暗の識別機能として、ユーザビリティを損なわぬように明→暗、暗→明の２パターンについてヒステリシスを持つように各々閾値を設定したが、閾値を１つに定義し一定時間内に光量を一定回数サンプリングして全てないしはある回数閾値以下なら、若しくは閾値以上なら明／暗の識別をする制御を行えば、同様にユーザビリティを損なわない制御が可能である。
【００５０】
つまり、一定時間内に受光手段が受ける光量を一定回数サンプリングし、筐体の周囲が明もしくは暗かを判断するための第３の閾値との大小関係に基づいて表示部の表示及び表示部を筐体内から筐体外に向かって照明するバックライトの点灯を制御するのである。
【００５１】
図７は、本発明にかかる携帯端末装置の他の実施例のフローチャートである。
同図において、Ｐは第３の閾値、Ｑは明／暗判断回数、Ｓはサンプリング回数をそれぞれ示す。
（実施例３の動作の説明）
時刻tのタイミングに受光センサ１４（図１参照）で得た光量の情報は電気信号としてＣＰＵ２２（図１参照）へ伝達される（ステップＳ４０）。
次に、光量が閾値Ｐより高いか否かを判断し（ステップＳ４１）、光量が閾値Ｐより高いと判断した場合（ステップＳ４１／Ｙ）は、Ｌ＋１をＬに代入し（この場合、Ｌの初期値は０であるため、１をＬに代入することになる。ステップＳ４２）てステップＳ４３に進み、光量が閾値Ｐより高くないと判断した場合（ステップＳ４１／Ｎ）は、ａ＋１をａに代入する（この場合、ａの初期値は０であるため、１をａに代入することになる。ステップＳ４３）。
【００５２】
次にサンプリング回数Ｓがａより小さいか否かを判断し（ステップＳ４４）、サンプリング回数Ｓがａより小さくないと判断した場合（ステップＳ４４／Ｎ）はステップＳ４０に戻り、サンプリング回数Ｓがａより小さい場合（ステップＳ４４／Ｙ）は明／暗判断回数ＱがＬより小さいか否かを判断する（ステップＳ４５）。
明／暗判断回数ＱがＬより小さいと判断した場合（ステップＳ４５／Ｙ）はｆを１とし（明るい）として０をａに代入すると共に０をＬに代入し（ステップＳ４７）、明／暗判断回数ＱがＬより小さくないと判断した場合（ステップＳ４５／Ｙ）はｆを０として（暗い）として０をａに代入すると共に０をＬに代入し（ステップＳ４７）ステップＳ４０に戻る。
この結果、バックライトの点灯消灯が効率的に制御されるので、携帯端末装置の消費電力が低減される。
【実施例４】
【００５３】
本制御は表示部中に微灯機能を持たず、バックライトの使用と液晶表示で機能する携帯端末装置とを主体に説明したが、微灯機能をもつ携帯端末装置では所定の時間差Δtの期間が明るいと消灯させ、所定の時間差Δｔの期間が暗いと微灯させるという制御を行うことも可能である。この場合、液晶表示／消灯制御（図４）は液晶消灯（ステップＳ２４：図４）をせずに従来の装置と同様の液晶表示時間にして、代わりに所定の時間差Δtの微灯処理を行えば実現出来る。
【００５４】
（実施例４の動作の説明）
図８は、本発明にかかる携帯端末装置の他の実施例のフローチャートである。
液晶表示されているか否かを判断し（ステップＳ３０）、液晶表示されていると判断した場合（ステップＳ３０／Ｙ）は、バックライトが点灯しているか否かを判断する（ステップＳ３１）。
バックライトが点灯していると判断した場合（ステップＳ３１／Ｙ）もしくは液晶表示されていないと判断した場合（ステップＳ３０／Ｎ）はｇを０とし（微灯未作動：ステップＳ３２）、ステップＳ３０に戻る。
バックライトが点灯していないと判断した場合（ステップＳ３１／Ｎ）はｆ＝１であるか否かを判断し（ステップＳ３３）、ｆ＝１であると判断した場合（ステップＳ３３／Ｙ）はステップＳ３２に進み、ｆ＝１でないと判断した場合（ステップＳ３３／Ｎ）はｆが０であるか否かを判断する（ステップＳ３４）。
ｆが０であると判断した場合（ステップＳ３４／Ｙ）はｇを１とし（微灯作動：ステップＳ３５）、ステップ３０に戻り、ｆが０でないと判断した場合（ステップＳ３４／Ｎ）はステップＳ３０に戻る。
【００５５】
図９（ａ）〜（ｃ）は、図１に示した携帯端末装置が明るい場所から暗い場所に移動する場合の微灯動作のタイミングチャートの一例である。図９（ａ）〜（ｃ）において、横軸は時間を示し、縦軸は電圧を示す。但し、ＥＬが電流駆動型の場合は電流を示す。
図９（ａ）〜（ｃ）において、バックライト点灯と微灯点灯との間にＯＮとＯＦＦとが記載されているが、これはバックライトを瞬断すると同時に微灯点灯をさせるのではなく、バックライト点灯モードから微灯点灯モードに切り換えることを意味する。すなわち、バックライトに用いられるＥＬの駆動電圧もしくは駆動電流を変化させるのである。
【００５６】
まず、本携帯端末装置を明るい場所から暗い場所に移動させる場合について説明する。
まず、図９（ａ）に示すように、ＣＰＵ２２（図１参照）は、筐体１１（図１参照）の周囲が明から暗に変化した後で電源／終了ボタン１６（図１参照）が押された場合、バックライト１３−２（図１参照）を通常より低い輝度で点灯（微灯点灯）させてから所定の時間差Δｔ経過時に消灯させると共に、表示部１３−１（図１参照）を電源／終了ボタン１６が押されてから所定の時間差Δｔ経過時に消灯させるのである。
【００５７】
次に、図９（ｂ）に示すように、ＣＰＵ２２は、電源／終了ボタン１６が押されてから所定の時間差Δｔ以内に筐体１１の周囲が明から暗に変化する場合、電源／終了ボタン１６が押されるとバックライト１３−２を消灯させた後、筐体１１の周囲が明から暗に変化した時にバックライト１３−２を通常より低い輝度で点灯させて電源／終了ボタン１６が押されてから所定の時間差Δt経過時にバックライト１３−２及び表示部１３−１を同時に消灯させるのである。
すなわち、バックライト１３−２を消灯させてから筐体１１の周囲が明から暗に変化するまでの間の時間分だけバックライトが点灯も微灯もしないのでその分だけ消費電力を低減することができる。
【００５８】
次に、図９（ｃ）に示すように、電源／終了ボタン１６が押されてから筐体１１の周囲が明から暗に変化するまでの時間が少なくとも所定の時間差Δｔである場合、電源／終了ボタン１６が押された時にバックライト１３−２を消灯させると共に、所定の時間差Δｔ経過時に表示部１３−１を消灯させるのである。
ここで、従来の携帯端末装置では電源／終了ボタン１６が押された時にバックライト１３−２（図１参照）を通常より低い輝度で点灯（微灯点灯）させてから所定の時間差Δｔ経過時に消灯させるが、本携帯端末装置は電源／終了ボタン１６が押されると微灯点灯を行わないので、所定の時間差Δｔ分だけ消費電力を低減することができる。
【００５９】
次に、本携帯端末装置を暗い場所から明るい場所に移動させる場合について説明する。
図１０（ａ）〜（ｃ）は、図１に示した携帯端末装置が暗い場所から明るい場所に移動する場合の微灯動作のタイミングチャートの一例である。図１０（ａ）〜（ｃ）において、横軸は時間を示し、縦軸は電圧を示す。但し、ＥＬが電流駆動型の場合は電流を示す。
図１０（ａ）に示すようにＣＰＵ２２は、電源／終了ボタン１６が押されてから所定の時間差Δｔ以内に筐体１１の周囲が暗から明に変化する場合、電源／終了ボタン１６が押されるとバックライトを通常より低い輝度で点灯させた後、筐体１１の周囲が暗から明に変化した時にバックライト１３−２を消灯させると共に、電源／終了ボタン１６が押されてから所定の時間差Δt経過時に表示部１３−１を消灯させる。
すなわち、筐体１１の周囲が暗から明に変化してから表示部１３−１が消灯するまでの時間だけバックライト１３−２は点灯も微灯もしないので、その分だけ消費電力を低減することができる。
【００６０】
図１０（ｂ）に示すようにＣＰＵ２２は、電源／終了ボタン１６が押されてから筐体１１の周囲が暗から明に変化するまでの時間が少なくとも所定の時間差Δｔである場合、電源／終了ボタン１６が押された時にバックライト１３−２を通常より低い輝度で点灯させた後、筐体１１の周囲が暗から明に変化した時にバックライト１３−２を消灯させると共に、電源／終了ボタン１６が押されてから所定の時間差Δｔ経過時に表示部１３−１を消灯させる。
【００６１】
図１０（ｃ）に示すようにＣＰＵ２２は、筐体１１の周囲が暗から明に変化した後で電源／終了ボタン１６が押された場合、バックライト１３−２を消灯させた後、所定の時間差Δｔ経過時に表示部１３−１を消灯させる。
ここで、従来の携帯端末装置では電源／終了ボタン１６が押された時にバックライト１３−２（図１参照）を通常より低い輝度で点灯（微灯点灯）させてから所定の時間差Δｔ経過時に消灯させるが、本携帯端末装置は電源／終了ボタン１６が押されると微灯点灯を行わないので、所定の時間差Δｔ分だけ消費電力を低減することができる。
【００６２】
以上において、本実施例によれば、バッテリーの省電力化を図った携帯端末装置の提供を実現することができる。
【産業上の利用可能性】
【００６３】
本発明は、携帯端末装置であって、通話及びメール機能などを搭載しキー操作を行う必要性のある装置に利用することができる。
【図面の簡単な説明】
【００６４】
【図１】本発明にかかる携帯端末装置の一実施の形態を示す構成図である。
【図２】図１に示した携帯端末装置のメモリ２３に格納される閾値の説明図である。
【図３】図１に示した携帯端末装置１０に用いられるＣＰＵ２２の明／暗の識別制御のフローチャートである。
【図４】図１に示した携帯端末装置における液晶表示／消灯制御を示すフローチャートである。
【図５】（ａ）〜（ｃ）は、図１に示した携帯端末装置を明るい場所から暗い場所に移動させたときの動作を説明するためのタイミングチャートの一例である。
【図６】（ａ）〜（ｃ）は、図１に示した携帯端末装置を暗い場所から明るい場所に移動させたときの動作を説明するためのタイミングチャートの一例である。
【図７】本発明にかかる携帯端末装置の他の実施例のフローチャートである。
【図８】本発明にかかる携帯端末装置の他の実施例のフローチャートである。
【図９】（ａ）〜（ｃ）は、図１に示した携帯端末装置が明るい場所から暗い場所に移動する場合の微灯動作のタイミングチャートの一例である。
【図１０】（ａ）〜（ｃ）は、図１に示した携帯端末装置が暗い場所から明るい場所に移動する場合の微灯動作のタイミングチャートの一例である。
【符号の説明】
【００６５】
１０    携帯端末装置
１１    筐体
１２    レシーバー（受話器）
１３−１    表示部（液晶表示手段）
１３−２    バックライト（照明手段）
１４    受光センサ（受光手段）
１５    開始ボタン
１６    電源／終了ボタン
１７    リダイヤル／クリアボタン
１８    ダイアルボタン
１９    ＊ボタン
２０    ＃ボタン
２１    マイク（送話器）
２２    ＣＰＵ（制御手段）
２３    メモリ（記憶手段）
【図１】
2008147952.tif 000003
【図２】
2008147952.tif 000004
【図３】
2008147952.tif 000005
【図４】
2008147952.tif 000006
【図５】
2008147952.tif 000007
【図６】
2008147952.tif 000008
【図７】
2008147952.tif 000009
【図８】
2008147952.tif 000010
【図９】
2008147952.tif 000011
【図１０】
2008147952.tif 000012